(57)【要約】【課題】室外機端子部に接続された電線が機外でもらい火した際、接続電線を伝って炎が端子台や電装部内に及ぶ危険性を低減した室外機を提供する。【解決手段】端子台接続開口部を覆う端子部カバーに、接続電線挿入口から端子台方向に接続電線の連通路を設け、前記連通路の接続電線挿入口近傍に接続電線を保持固定する接続電線押圧部更に上方の端子台側に接続電線シール部を形成し、前記接続電線押圧部と接続電線シール部間に閉空間を設けることにより、機外でもらい火しても、炎は端子台カバーの接続電線挿入口近傍の接続電線押圧部まで達して一旦弱まり、接続電線押圧部と接続電線シール部間で窒息消火し、端子台の配置しているスペ−スまで延焼することなく、端子台や更には電装品箱、電装品への被害も防止することができる。【選択図】図３
2014055680.tif 000002
【特許請求の範囲】
【請求項１】
天板、側板、前板、基板からなる外郭と、前記基板の一方の前記側板側の上部に電装品を収納している電装品箱と下部に圧縮機等の冷凍サイクル部品を収納している機械室と前記電装品箱側方に電装品箱から連通し電装品と電気的に接続された端子台を配置し、前記側板には前記端子台へ室内機等から電線接続するための端子台接続開口部と前記機械室の側面に室内機と冷媒配管を介して接続する接続弁と前記端子台接続開口部を覆う端子部カバーと前記端子部カバーと接続弁を覆う配管カバーを配置し、更に前記端子部カバーには接続電線挿入口から端子台方向に接続電線の連通路を設け、前記連通路の接続電線挿入口近傍に接続電線を保持固定する接続電線押圧部を前記連通路側に落とし込んで形成し更に上方の端子台側に接続電線シール部を前記連通路側に落とし込んで形成し、前記接続電線押圧部と接続電線シール部間に新たに閉空間を設けたことを特徴とする空気調和機の室外機。
【請求項２】
前記端子部カバーの連通路に形成する接続電線シール部を難燃性を有するシール材で形成することを特徴とする請求項１に記載の空気調和機の室外機。
【発明の詳細な説明】
【技術分野】
【０００１】
本発明は、室内機等への接続電線を接続する端子台と端子台を配置している部分の開口部を覆うカバーを具備している空気調和機の室外機に関するものである。
【背景技術】
【０００２】
従来、この種の空気調和機の室外機は、本体側面部にて室内機と冷媒配管を介して接続弁で接続され、また室内機と電線を介して端子台で接続され、更に端子部カバーで端子台接続開口部を覆いかつ挿入口近傍で接続電線を固定している（例えば、特許文献１参照）。
【０００３】
図５は、特許文献１に記載された従来の空気調和機の室外機の側面を示すものである。図５に示すように、空気調和機は、天板２、側板３ａ、３ｂ、前板４、基板５からなる外郭と、前記基板の一方の前記側板（３ｂ）側の上部に電装品箱６、下部に圧縮機等（図示せず）の冷凍サイクル部品を収納している機械室７と、前記電装品箱６の側方に電装品箱６から連通し電装品（図示せず）と電気的に接続された端子台８と、前記側板３ｂには前記端子台８へ室内機（図示せず）等からの接続電線９を接続するための端子台開口部１０と、前記機械室７の側面に室内機（図示せず）と冷媒配管１１を介して接続する接続弁１２と、前記端子台接続開口部１０を覆う端子部カバー１３ｃと前記端子部カバー１３ｃと接続弁１２を覆う配管カバー１４、更に前記端子部カバー１３ｃの接続電線挿入口１７ｃ近傍に接続電線９を保持固定する接続電線押圧部１８ｃを具備して構成されている。
【先行技術文献】
【特許文献】
【０００４】
【特許文献１】特開２００２−１０６８８６号公報
【発明の概要】
【発明が解決しようとする課題】
【０００５】
しかしながら、前記従来の構成では、室外機の機外で接続電線がもらい火した場合、炎は接続電線を伝って端子台カバーの電線挿入口近傍まで達し接続電線押圧部で一旦弱まるものの、十分なスペースを有している端子台側より接続電線押圧部に空気が供給されるため再燃し端子台を配置しているスペースの空気がなくなるまで延焼することにより接続電線を伝って端子台や更には電装品箱、電装品まで被害を及ぼす恐れがあるという課題を有していた。
【０００６】
そこで本発明は、前記従来の課題を解決するもので、室外機の機外で接続電線がもらい火しても室外機内の端子台や電装品箱、電装品への延焼を防ぐ室外機を提供することを目的とする。
【課題を解決するための手段】
【０００７】
前記従来の課題を解決するために、本発明の空気調和機の室外機は、電装品箱側方に電装品箱から連通し電装品と電気的に接続された端子台を配置し、前記側板には前記端子台へ室内機等から電線接続するための端子台接続開口部と、前記端子台接続開口部を覆う端子部カバーを配置し、前記端子部カバーには接続電線挿入口から端子台方向に接続電線の連通路を設け、前記連通路の接続電線挿入口近傍に、接続電線を保持固定する接続電線押圧部を前記連通路側に落とし込んで形成し、更に上方の端子台側に接続電線シール部を前記連通路側に落とし込んで形成し、前記接続電線押圧部と接続電線シール部間に新たに閉空間を設けたという構成としたものである。
【０００８】
これによって、機外でもらい火しても、炎は端子台カバーの接続電線挿入口近傍の接続電線押圧部まで達して一旦弱まり、その際燻ぶった煙で接続電線押圧部と接続電線シール部間の空間が充満され窒息消火され端子台の配置しているスペ−スまで延焼することなく、端子台や更には電装品箱、電装品への被害も防止できる。
【０００９】
また、本発明の空気調和機の室外機は、第１の発明の端子部カバーの連通路に形成する接続電線シール部を難燃性を有するシール材で形成するという構成としたものである。
【００１０】
これによって、機外でもらい火しても、炎は端子台カバーの電線挿入口近傍の接続電線押圧部まで達して一旦弱まり、その際燻ぶった煙で接続電線押圧部と接続電線シール部間の空間が充満され窒息消火され端子台の配置しているスペ−スまで延焼することなく、端子台や更には電装品箱、電装品への被害も防止できる。
【発明の効果】
【００１１】
本発明の空気調和機の室外機は、機外でもらい火しても、炎は端子台カバーの接続電線挿入口近傍の接続電線押圧部まで達して一旦弱まり、その際燻ぶった煙で接続電線押圧部と接続電線シール部間の空間が充満されることにより窒息消火し、端子台の配置しているスペ−スまで延焼することなく、端子台や更には電装品箱、電装品への被害も防止することができる。
【図面の簡単な説明】
【００１２】
【図１】本発明の実施の形態１における空気調和機の室外機の一部を切断して示す正面図
【図２】本発明の実施の形態１における空気調和機の室外機の側面図
【図３】本発明の実施の形態１における一部を切断した要部拡大図
【図４】本発明の実施の形態１の類似例における一部を切断した要部拡大図
【図５】従来の空気調和機の室外機の側面図
【発明を実施するための形態】
【００１３】
第１の発明は室外機本体に、天板、側板、前板、基板からなる外郭と、前記基板の一方の前記側板側の上部に電装品を収納している電装品箱と下部に圧縮機等の冷凍サイクル部品を収納している機械室と前記電装品箱側方に電装品箱から連通し電装品と電気的に接続された端子台を配置し、前記側板には前記端子台へ室内機等から電線接続するための端子台接続開口部と前記機械室の側面に室内機と冷媒配管を介して接続する接続弁と前記端子台接続開口部を覆う端子部カバーと前記端子部カバーと接続弁を覆う配管カバーを配置し、更に前記端子部カバーには電線挿入口から端子台方向に接続電線の連通路を設け、前記連通路の接続電線挿入口近傍に接続電線を保持固定する接続電線押圧部を前記連通路側に落とし込んで形成し、更に上方の端子台側に接続電線シール部を前記連通路側に落とし込んで形成し、前記接続電線押圧部と接続電線シール部間に新たに閉空間を設けるという構成とすることにより、機外でもらい火しても、炎は端子台カバーの接続電線挿入口近傍の接続電線押圧部まで達して一旦弱まり、その際燻ぶった煙で接続電線押圧部と接続電線シール部間の空間が充満されることにより窒息消火し、端子台の配置しているスペ−スまで延焼することなく、端子台や更には電装品箱、電装品への被害も防止することができる。
【００１４】
第２の発明は、特に、第１の発明の端子部カバーの連通路に形成する接続電線シール部を難燃性を有するシール材で形成するという構成とすることにより、接続電線押圧部と接続電線シール材間で窒息消火し、端子台の配置しているスペ−スまで延焼することなく、端子台や更には電装品箱、電装品への被害も防止することができる。
【００１５】
（実施の形態１）
図１は、本発明の実施の形態１における空気調和機の室外機の一部を切断して示す正面図、図２は本発明の実施の形態１における空気調和機の室外機の側面図、図３は本発明の実施の形態１における一部を切断した要部拡大図である。
【００１６】
図１、図２、図３、図４及び図５において、空気調和機の室外機１は、天板２、側板３ａ、３ｂ、前板４、基板５からなる外郭と、前記基板の一方の前記側板（３ｂ）側の上部に電装品（図示せず）を収納している電装品箱６、下部に圧縮機（図示せず）等の冷凍サイクル部品（図示せず）を収納している機械室７と、前記電装品箱６側方に電装品箱６から連通し電装品（図示せず）と電気的に接続された端子台８と、前記側板３ｂには前記端子台８へ室内機（図示せず）等からの接続電線９を接続するための端子台開口部１０と、前記機械室７の側面に室内機（図示せず）と冷媒配管１１を介して接続する接続弁１２と、前記端子台接続開口部１０を覆う端子部カバー１３ａと前記端子部カバー１３ａと接続弁１２を覆う配管カバー１４、更に前記端子部カバー１３ａには電線挿入口１５ａから端子台８の方向に接続電線９の連通路１６ａを設けている。
【００１７】
前記連通路１６ａの接続電線挿入口１７ａ近傍に接続電線９を保持固定する接続電線押圧部１８ａを前記連通路１６ａ側に落とし込んで形成し、更に上方の端子台８側に接続電線シール部１９を前記連通路側に落とし込んで形成し、前記接続電線押圧部１８ａと接続電線シール部１９間に新たに閉空間Ａを具備する構成としたものである。
【００１８】
以上のように構成された空気調和機の室外機について、以下その動作、作用を説明する。
【００１９】
まず、室外機の据付工事においては、一旦配管カバーを取外し、冷媒配管を接続弁に接続しさらに端子部カバーを取外して側板の端子台接続開口部より、室内機からの接続電線を端子台に接続し、再度端子部カバーで覆うがその際、接続電線を端子部カバーの連通路から挿入口にかけて配置し、連通路側に落とし込んで形成した接続電線押圧部で接続電線をネジで密着固定すると同時に端子台カバーの連通路側に落とし込んで形成した接続電線シール部で接続電線を介してシールされ、連通路側に落とし込んで形成した接続電線押圧部と連通路側に落とし込んで形成した接続電線シール部間の連通路に閉空間が形成されることになる。
【００２０】
以上のように、本実施の形態においては電装品箱側方に電装品箱から連通し電装品と電気的に接続された端子台を配置し、前記側板には前記端子台へ室内機等から電線接続するための端子台接続開口部と、前記端子台接続開口部を覆う端子部カバーを配置し、前記端子部カバーには接続電線挿入口から端子台方向に接続電線の連通路を設け、前記連通路の電線挿入口近傍に、接続電線を保持固定する接続電線押圧部を前記連通路側に落とし込んで形成し、更に上方の端子台側に接続電線シール部を前記連通路側に落とし込んで形成する。
【００２１】
室外機の据付工事において、室内機からの接続電線を端子台に接続し、再度端子部カバーで覆うがその際、接続電線を端子部カバーの連通路から接続電線挿入口にかけて配置し、連通路側に落とし込んで形成した接続電線押圧部で接続電線をネジで密着固定すると同時に端子台カバーの連通路側に落とし込んで形成した接続電線シール部で接続電線を介してシールされている。
【００２２】
連通路側に落とし込んで形成した接続電線押圧部と連通路側に落とし込んで形成した接続電線シール部間の連通路に閉空間が形成されることになるので、機外で接続電線がもらい火しても炎は端子台カバーの接続電線挿入口近傍の接続電線押圧部まで達して一旦弱ま
り、その際燻ぶった煙で接続電線押圧部と接続電線シール部間の空間が充満されることにより窒息消火し、端子台の配置しているスペ−スまで延焼することなく、端子台や更には電装品箱、電装品への被害も防止できる。
【００２３】
また、前記端子部カバー１３ｂの連通路１６ｂに接続電線挿入口１７ｂ、接続電線押圧部１８ｂ、難燃性シール部１９ｂで構成し、閉空間Ｂを形成しても接続電線９のもらい火が端子台８等に被害を及ぼさないという同様の効果が期待できる。
【符号の説明】
【００２４】
１  室外機
３ａ、３ｂ  側板
８  端子台
９  接続電線
１３ａ、１３ｂ、１３ｃ  端子部カバー
１６ａ、１６ｂ  連通路（端子部カバー）
１７ａ、１７ｂ、１７ｃ  接続電線挿入口（端子部カバー）
１８ａ、１８ｂ、１８ｃ  接続電線押圧部（端子部カバー）
１９  接続電線シール部（端子部カバー）
【図１】
2014055680.tif 000003
【図２】
2014055680.tif 000004
【図３】
2014055680.tif 000005
【図４】
2014055680.tif 000006
【図５】
2014055680.tif 000007